(57)【要約】      （修正有）【課題】現在の清掃器具、空調システムでは根本的な塵挨の除去はできない。【解決手段】室内の床面に、循環ダクトを設置して、室内向け空気放出口(3)から空気を室内に向け、仰角な空気流をつくり床面(15)に堆積しようとする塵埃を散乱さる。放出サイクルが不規則であるため、特定の部分に塵埃が吹き寄せられて堆積することがなく、空気中に浮遊する塵挨を最終的に空気清浄機等で回収するものである。【選択図】図３
2014001864.tif 000002
【特許請求の範囲】
【請求項１】
室内の床下に設置される循環ダクトで、複数ヶ所に室内向け空気放出口を有し、空気吸気口は、室内または室外に設定し、取り込んだ空気を送風ダクトを通じ、前記循環ダクトに空気を循環させ、複数の前記空気放出口から不規則に放出させて、放出サイクルを不規則にさせて空気の流れを変更して、床面に堆積しようとする塵埃を前記空気放出口から床上に放出する空気で散乱させ、前記空気放出口には塵埃の流入を防止するためのフィルターを付けることができ、前記循環ダクト内の清掃用の室外専用排出口を有することを特徴とする空調システム。
【請求項２】
前記空気放出口の上部に、床面に対し凹凸をなくした水平天面を有するすり鉢型の反射キャップを前記循環ダクトに結合させ、前記空気放出口から放出される空気を前記反射キャップの側面につくる複数の空気穴を経由し、前記循環ダクトと前記反射キャップの間の噴出道から仰角に、不規則に分散放出させることを特徴とする請求項1の空調システム。
【発明の詳細な説明】
【技術分野】
【０００１】
本発明は、日常的に室内の床面に塵挨が堆積することを極力防止するための空調システムである。
【背景技術】
【０００２】
従来の空調システムおよび空気清浄機は、空気中に浮遊する細かい塵埃(例えば、粉じん、花粉、ハウスダスト)の除去を大きな目的にしていて、床面にすでに堆積したものを除去、堆積しにくくしようとするものではなかった。
【０００３】
この改善策として、室内の床と壁の接合線に沿って循環ダクトを設置して、循環ダクトが室内に面している部分に室内に空気を放出する放出口を設けて、室内の床面に塵埃が堆積しにくくするようにするものである。
【先行技術文献】
【特許文献】
【０００４】
【特許文献１】特許第4950347号広報
【発明の概要】
【発明が解決しようとする課題】
【０００５】
この発明は、日頃、室内の床面の塵埃の堆積を極力防止しようとする課題を有する。
【課題を解決するための手段】
【０００６】
上記課題を解決するためには、常時、定期的に循環ダクトから室内向けに空気を複数の放出口から不規則に放出させて、放出サイクルを不規則にさせて空気の流れを変更することで塵埃の堆積を阻止することができる。
【０００７】
放出口は、塵埃が流入しないように、放出口にフィルターを付けることができる。
【０００８】
循環ダクト内のメンテナンスは通常閉じられている室外、屋外に面する室外専用排出口を開き空気を流出させて、循環ダクト内の清掃をおこなうことができる。
【発明を実施するための最良の形態】
【０００９】
本発明を図面に基づいて説明する。図1は、室内の天井方向から見たときの正面図であり、床(1)に沿って循環ダクト(4)が室内の四方に設置され、各循環ダクトに複数ヶ所の室内向け空気放出口(3)があり、床面(15)に堆積しようとする塵埃を散乱させるように設置されている。循環ダクトは、四方から延びる循環ダクトが連結した一体型と縦横それぞれに独立した分離型がある。図1は、一体型である。空気放出口は、塵挨の侵入防止、及び空気の放出角度を変更するための反射キャップ(10)が取り付け可能になっている。循環ダクト内のメンテナンスは室外専用排出口(5)を開いてダクト内の塵埃を排出することができ、通常は閉鎖せれている。
【００１０】
図2は、室内の斜視透視図であり、循環ダクトへの空気の供給はファン(6)によって送風専用ダクト(7)を通じておこなわれる。ファンは室内、屋外に設置することができ、常時、定期的、手動で稼働をコントロールする。室内向け空気放出口から放出された空気は、堆積しようとする塵埃を空中に再度、散乱させ、空気清浄機(9)等を設置して回収する。
【００１１】
図3は、床面(15)と床下に設置された循環ダクト(16)、反射キャップ(10)の断面図であり、反射キャップは、すり鉢型の形状を有し、反射キャップの天面(11)は、床面に対して凹凸がないように設定され、反射キャップの側面には複数の空気噴出口である空気穴(12)が設置され、循環ダクトの空気放出口(3)から放出される空気は、反射キャップの天面裏面に衝突し、空気穴(12)を経由し、噴出道(14)より放出される。すり鉢状の反射キャップの側面と循環ダクトの角度により、空気は、噴出道から仰角に不規則に噴出する。
【００１２】
図４は、反射キャップ(10)の正面図であり、反射キャップの天面の中心にネジ溝(18)をつくり、ドライバーで脱着が可能である。空気穴(12)は、反射キャップのすり鉢状の側面に複数ヶ所つくられ、循環ダクトに装着したとき、循環ダクトの凹状部分と空気穴の下部が接するように設計されているために、噴出道(14)の塵挨の堆積を防止することができる。
【００１３】
図5は、反射キャップの雄ネジ部分(13)の外径を循環ダクトの空気放出口(3)の内径の寸法に合わせて結合させることで、図4の17循環ダクト壁面を除去でき、空気の流れをさらになめらかにすることができる。
【実施例１】
【００１４】
図1は、室内に設置された循環ダクトと室内向け空気の放出口とメンテナンス用の室外専用排出口の一例。
【実施例２】
【００１５】
図2は、吸気口、送風専用ダクト、循環ダクト、室内、空気清浄機の空気の流れのイメージの一例。
【実施例３】
【００１６】
図3は、循環ダクトと結合する反射キャップの側壁面の穴から不規則、仰角に空気を噴出させているところ。
【実施例４】
【００１７】
図4は、循環ダクトに反射キャップを結合装着させているところ。
【実施例５】
【００１８】
図5は、反射キャップの雄ネジ部分の外径を循環ダクトの空気放出口の内径の寸法に合わせて結合させているところ。
【産業上の利用可能性】
【００１９】
現在の清掃、空調、防塵システムは、塵挨が室内の床面に堆積することを阻止するという概念がないため、堆積した塵挨をいかにして効率よく除去するかに重きをおいている。除去の効率は悪く、家具や電化製品の接した部分の床面の塵挨が残存してしまうことがある。当空調システムは、現状の空調機器、空気清浄機では解決ができない塵挨を堆積させないというシステムを一般家庭の室内の他、塵挨を嫌う精密機器分野、細菌等を扱う研究室の細菌除去システムにも利用できる。
【図面の簡単な説明】
【００２０】
【図１】室内の天井方向から見たときの正面図(実施例１）
【図２】室内の斜視透視図（実施例2）
【図３】循環ダクトと反射キャップの正面断面図（実施例3）
【図４】反射キャップの正面透視図(実施例4)
【図５】循環ダクトと反射キャップの正面断面図（実施例5）
【符号の説明】
【００２１】
1.     
床
2.     
壁面
3.     
空気放出口
4.     
循環ダクト
5.     
室外専用排出口
6.     
吸気口（ファン）
7.     
送風専用ダクト
8.     
空気流
9.     
空気清浄機
10.   反射キャップ
11.   反射キャップ天面
12.   空気穴
13.   雄ネジ部分
14.   噴出道
15.   床面
16.   循環ダクト
17.   循環ダクト壁面
18.   ネジ溝
19.   循環ダクトト反射キャップの接線
【図１】
2014001864.tif 000003
【図２】
2014001864.tif 000004
【図３】
2014001864.tif 000005
【図４】
2014001864.tif 000006
【図５】
2014001864.tif 000007
【手続補正書】
【提出日】平成24年10月5日(2012.10.5)
【手続補正１】
【補正対象書類名】特許請求の範囲
【補正対象項目名】全文
【補正方法】変更
【補正の内容】
【特許請求の範囲】
【請求項１】
室内の床下に設置される循環ダクトで、複数ヶ所に室内向け空気放出口を有し、空気吸気口は、室内または室外に設定し、取り込んだ空気を送風ダクトを通じ、前記循環ダクトに空気を循環させ、複数の前記空気放出口から不規則に放出させて、放出サイクルを不規則にさせて空気の流れを変更して、床面に堆積しようとする塵埃を前記空気放出口から床上に放出する空気で散乱させ、前記空気放出口には塵埃の流入を防止するためのフィルターを付けることができ、前記循環ダクト内の清掃用の室外専用排出口を有し、前記空気放出口の上部に、前記床面に対し凹凸をなくした水平天面を有するすり鉢型の反射キャップを前記循環ダクトに結合させ、前記空気放出口から放出される空気を前記反射キャップの側面につくる複数の空気穴を経由し、前記循環ダクトと前記反射キャップの間の噴出道から仰角に、不規則に分散放出させることを特徴とする空調システム。